(57)【要約】  【課題】  実用的な冷却服など温度調整服を製造するための身体用の巻付式循環型液体路を提供する。  【解決手段】  循環型液体路１は、人間や動物の身体の回りに巻き付けることができる長さを有しており、循環水を流す流路を形成した液体路３と、前記液体路３を前記身体に巻き付けた状態と巻き付けを解いた状態を選択する着脱部材とを有し、前記液体路３は、小さい凹凸１５が形成された凹凸シート２を少なくとも１枚含んで複数枚のシートを重ね合わせ、その一部を平面的に融着させて形成した融着部１４と、前記融着部１４の間において融着されずに形成された流路部１６とを有し、前記液体路３を前記融着部１４と前記流路部１６とを平面的に広がりを持って配置することで形成されていることを特徴とする。【選択図】  図１
2018090947.tif 000002
【特許請求の範囲】
【請求項１】
人間や動物の身体の回りに巻き付けることができる長さを有しており、循環水を流す流路を形成した液体路(３)と、前記液体路(３)前記身体に巻き付けた状態と巻き付けを解いた状態を選択する着脱部材(１３)と、を有し、
前記液体路(３)は、小さい凹凸(１５)が形成された凹凸シート(２)を少なくとも１枚含んで複数枚のシートを重ね合わせ、その一部を平面的に離隔的に融着させて形成した融着部(１４)と、前記融着部(１４)の間において融着されずに形成された流路部(１６)とを有し、前記液体路(３)を前記融着部(１４)と前記流路部(１６)とを平面的に広がりを持って配置することで形成されていることを特徴とする巻付式循環型液体路。
【請求項２】
請求項１に記載の巻付式循環型液体路において、前記凹凸(１５)の高さ(Ｈ)を０．０５ｍｍ〜１０ｍｍの範囲に構成し、かつ、横幅(Ｗ)を０．０５ｍｍ〜１０ｍｍの範囲に構成した巻付式循環型液体路。
【請求項３】
請求項２に記載の巻付式循環型液体路において、前記凹凸シート(２)として凹凸(１５)をエンボス加工、印刷処理、吹付処理の少なくとも一つで形成した巻付式循環型液体路。
【請求項４】
請求項１〜請求項３のいずれか一つに記載の巻付式循環型液体路において、前記巻き付ける前記循環型液体路(１)の前記着脱部材(１３)を取り付けた先端側領域において、前記液体路(３)に折り返し部(２１)を設けた巻付式循環型液体路。
【請求項５】
請求項４に記載の巻付式循環型液体路において、前記折り返し部(２１)を有する前記循環型液体路(１)を距離的に離隔させて複数個、胸部・胴体部に巻き付けるように構成した巻付式循環型液体路。
【請求項６】
請求項４〜請求項５のいずれか一つに記載の巻付式循環型液体路において、前記折り返し部(２１)を、長さ方向に延びる長さ方向液体路(２２・２２)と、幅方向に水路として連続する幅方向液体路(２３)と、前記各長さ方向液体路(２２・２２)は長さ方向に延びる切り離し部(２４)とを有している巻付式循環型液体路。
【請求項７】
請求項４〜請求項６のいずれか一つに記載の巻付式循環型液体路において、前記着脱部材(１３)は前記折り返し部(２１)を有する前記液体路(３)を覆うカバー部材(２５)に取り付けた巻付式循環型液体路。
【請求項８】
請求項１〜請求項７のいずれか一つに記載の巻付式循環型液体路において、冷却服(２０)の背面部(２９)に前記液体路(３)の基端(３ｃ)を固定して、前記冷却服(２０)の前記前面部(２６)とは別体として巻き付けた構成にした巻付式循環型液体路。
【請求項９】
請求項１〜請求項８のいずれか一つに記載の巻付式循環型液体路において、前記身体の巻き付ける周方向において、複数の前記液体路(３)を柔軟性のある連結管(３１)で連結し、前記連結管(３１)の余裕長さや変形によって前記周方向の調整を行なうように構成した巻付式循環型液体路。
【請求項１０】
請求項１〜請求項９のいずれか一つに記載の巻付式循環型液体路において、人間の胸部・胴体部に巻き付ける前記循環型液体路(１)と、冷却服(２０)の着脱用のファスナー(３３)の位置と対応するように設けられた前記着脱部材(１３)とを有する巻付式循環型液体路。
【請求項１１】
請求項１に記載の巻付式循環型液体路において、首回りや肩部を冷やす首回り・肩部用循環型液体路(４０)を設けた巻付式循環型液体路。
【請求項１２】
請求項１〜請求項１１のいずれか一つに記載の巻付式循環型液体路において、前記液体路(３)の入口部(４)と出口部(５)に接続口具(６)を設け、前記接続口具(６)は、前記凹凸シート(２)が接合するための接合面部(８)と、前記液体路(３)に連通する管部(１１)を有する巻付式循環型液体路。
【請求項１３】
請求項１〜請求項１２のいずれか一つに記載の巻付式循環型液体路において、前記融着部(１４)と前記流路部(１６)とを有する前記液体路(３)に換えて、液体の流れる隙間(４２)を備えている立体構造物(４１)をシートの縁部接合部(７)によって形成された前記液体路(３)に固定したものを使用した巻付式循環型液体路。
【請求項１４】
請求項１３に記載の巻付式循環型液体路において、前記巻き付ける前記循環型液体路(１)の前記着脱部材(１３)を取り付けた先端側領域において、前記液体路(３)に折り返し部(２１)を設けた巻付式循環型液体路。
【請求項１５】
請求項１４に記載の巻付式循環型液体路において、前記折り返し部(２１)を有する前記循環型液体路(１)を距離的に離隔させて複数個、胸部・胴体部に巻き付けるように構成した巻付式循環型液体路。
【請求項１６】
請求項１４に記載の巻付式循環型液体路において、前記折り返し部(２１)を、長さ方向に延びる長さ方向液体路(２２・２２)と、幅方向に水路として連続する幅方向液体路(２３)と、前記各長さ方向液体路(２２・２２)は長さ方向に延びる切り離し部(２４)とを有している巻付式循環型液体路。
【請求項１７】
請求項１４に記載の巻付式循環型液体路において、前記着脱部材(１３)は前記折り返し部(２１)を有する前記液体路(３)を覆うカバー部材(２５)に取り付けた巻付式循環型液体路。
【請求項１８】
請求項１４に記載の巻付式循環型液体路において、前記冷却服(２０)の背面部(２９)に前記液体路(３)の基端(３ｃ)を固定して、冷却服(２０)の前記前面部(２６)とは別体として巻き付けた構成にした巻付式循環型液体路。
【請求項１９】
請求項１〜請求項７のいずれか一つに記載の巻付式循環型液体路において、冷却用途、温め用途、医療的用途などの各目的において前記人間の頭、手、足等の巻き付け可能部分に巻き付け可能な長さを有する前記液体路(３)を有した巻付式循環型液体路。
【請求項２０】
請求項１〜請求項７のいずれか一つに記載の巻付式循環型液体路において、冷却用途、温め用途、医療的用途などの各目的において前記動物の巻き付け可能部分に巻き付け可能な長さを有する前記液体路(３)を有した巻付式循環型液体路。
【請求項２１】
請求項１３〜請求項１８のいずれか一つに記載の巻付式循環型液体路において、冷却用途、温め用途、医療的用途などの各目的において前記人間の頭、手、足等の巻き付け可能部分に巻き付け可能な長さを有する前記液体路(３)を有した巻付式循環型液体路。
【請求項２２】
請求項１３〜請求項１８のいずれか一つに記載の巻付式循環型液体路において、冷却用途、温め用途、医療的用途などの各目的において前記動物の巻き付け可能部分に巻き付け可能な長さを有する前記液体路(３)を有した巻付式循環型液体路。
【請求項２３】
人間や動物の身体の回りに巻き付けることができる長さを有しており、循環水を流す流路を形成した液体路(３)と、前記液体路(３)を前記身体に巻き付けた状態と巻き付けを解いた状態を選択する着脱部材(１３)と、を有し、
前記液体路(３)は、少なくとも２枚のシートを重ね合わせ、その一部を融着させて形成した融着部(１４)と、前記融着部(１４)の間において融着されずに形成された流路部(１６)とを有し、前記液体路(３)を前記融着部(１４)と前記流路部(１６)とを平面的に広がりを持って配置することで形成されていることを特徴とする巻付式循環型液体路。
【発明の詳細な説明】
【技術分野】
【０００１】
本発明は、人体、動物などの身体を冷却、温めなどの温度調整する温度調整部材及び温度調整装置に関する。
【背景技術】
【０００２】
従来から、身体を循環する液体で冷却する冷却服が各種提案されている。
例えば、本出願人は特許文献１において、身体の動きによって液体路が折れ、液体路が流れないことを防止するために液体路内にメッシュ等を固定した液体路部材を提案している。
上記特許文献１に係る発明は、実用的な冷却服等を提供できる技術である。
【先行技術文献】
【特許文献】
【０００３】
【特許文献１】国際公開（ＷＯ２０１６０１３３５３）
【発明の開示】
【発明が解決しようとする課題】
【０００４】
本発明者は、誠意、実用的な冷却服等を開発している過程において、いかにすれば、安価に身体を効率的に温度制御することができるかという課題に直面している。特許文献１の構成は、従来技術に比べて実現できる実用的な技術であるが、製造価格が高くなるという課題がある。
本発明の目的は、上記従来技術の課題を解決することができる液体路部材とその製造方法を提供することにある。
具体的な目的の一例を示すと、以下の通りである。なお、この目的は、後述する各実施例の課題の一例であり、本発明の技術的範囲を下記目的内に限定解釈してはならない。
（Ａ）実用的な冷却服、温度調整服などを製造するための巻付式循環型液体路を提供する。
なお、上記に記載した以外の発明の課題、その解決手段及びその効果は、後述する明細書内の記載において詳しく説明する。
【課題を解決するための手段】
【０００５】
本発明は多面的に表現できるが、例えば、代表的なものを挙げると、次のように構成したものである。なお、下記各発明・各実施形態において、付与された各符号は後述する実施例との対応関係を分かりやすくするために一例として示したものであり、本発明・各実施形態の各構成要素は、実施例に記載した符号に係る構成に限定されない。
【０００６】
本発明に係る巻付式循環型液体路１は、人間や動物の身体の回りに巻き付けることができる長さを有しており、循環水を流す流路を形成した液体路３と、前記液体路３を前記身体に巻き付けた状態と巻き付けを解いた状態を選択する着脱部材１３と、を有し、
前記液体路３は、小さい凹凸１５が形成された凹凸シート２を少なくとも１枚含んで複数枚のシートを重ね合わせ、その一部を平面的に離隔的に融着させて形成した融着部１４と、前記融着部１４の間において融着されずに形成された流路部１６とを有し、前記液体路３を前記融着部１４と前記流路部１６とを平面的に広がりを持って配置することで形成されていることを特徴とする（請求項１）。
「循環型液体路」とは「液体路」で、温度調節用の液体の液体が循環する構成のものを言う。温度調節の一例として、例えば、冷却用が挙げられる。
本発明であれば、人間や動物の身体の回りに巻き付けることで簡単に身体を温度調整、例えば、冷却できる。また、着脱部材を有することで、循環型液体路を身体に巻き付けた状態と、循環型液体路の巻き付けを解いた状態とに簡単に移行することができる。また、液体路として、融着部と流路部を備えた液体路の構成を採用することで、製造コストを安価にすることができる。
他の構成に係る本発明に係る巻付式循環型液体路１は、人間や動物の身体の回りに巻き付けることができる長さを有しており、循環水を流す流路を形成した液体路３と、前記液体路３を前記身体に巻き付けた状態と巻き付けを解いた状態を選択する着脱部材１３と、を有し、
前記液体路３は、少なくとも２枚のシートを重ね合わせ、その一部を融着させて形成した融着部１４と、前記融着部１４の間において融着されずに形成された流路部１６とを有し、前記液体路３を前記融着部１４と前記流路部１６とを平面的に広がりを持って配置することで形成されていることを特徴とする（請求項２３）。
なお、他の構成に係る発明において、融着部１４を設けることで、少なくとも２枚のシートを区画して、前記液体路３を形成する構成も採用することができる。
例えば、区画する方法としては、少なくとも２枚のシートにおいて液体路３を形成する複数本の曲線形融着部を設ける構成も採用できる。
図１を例に挙げて説明すれば、液体路３を構成する内側と外側の曲線形融着部（図１で例示すれば、縁部接合部７・７に該当する）を設けることで、略Ｕ字形に形成された液体路３を構成することができる。同様に、所望形状の液体路を構成するために曲線形融着部の形状を適宜、設定できること明らかである。なお、「曲線形融着部」は、「直線形融着部」を含む概念で使用している。
また、他の構成に係る本発明（請求項２３）においても請求項４〜請求項２２に係る構成を採用することができる。その場合に、例えば、実施例を説明する場合において、仮に「凹凸のある凹凸シート」とあるものを「少なくとも２枚のシート」と読み替えれば良い。
また、シートにはポリエチレン（ＰＥ）などの各種合成樹脂が使用できる。また、各種合成樹脂には、ウレタン樹脂、合成ゴム材料、塩化ビニールなどが含まれることは明らかである。なお、前記融着部を構成する方法としては、
（１）熱融着方法
（２）各種接着剤の塗布による方法
（３）高周波圧着
（４）超音波圧着
などの公知の各種の接着方法が例示できる。要は、シート材を構成する素材に応じた前記融着部を構成する方法を採用すればよいのである。
【発明の効果】
【０００７】
以上説明したように、本発明であれば、安価で実用的な冷却服などの身体冷却用の巻付式循環型液体路を提供できた。
【発明を実施するための最良の形態】
【０００８】
以下、上記本発明の好ましい実施形態を説明する。
本実施形態は、前記凹凸１５の高さＨを０．０５ｍｍ〜１０ｍｍの範囲に構成し、かつ、横幅Ｗを０．０５ｍｍ〜１０ｍｍの範囲に構成したことを特徴とする（請求項２）。
本実施形態は、前記凹凸シート２として凹凸１５をエンボス加工、印刷処理、吹付処理の少なくとも一つで形成したことを特徴とする（請求項３）。
【０００９】
本実施形態は、前記巻き付ける前記循環型液体路１の前記着脱部材１３を取り付けた先端側領域において、前記液体路３に折り返し部２１を設けたことを特徴とする（請求項４）。
折り返し部には略正反対方向に略１８０゜に折り返す構成や、Ｖ字形のように見えるように折り返す構成が例示できる。
本実施形態は、前記折り返し部２１を有する前記循環型液体路１を距離的に離隔させて複数個、胸部・胴体部に巻き付けるように構成したことを特徴とする（請求項５）。
本実施形態は、前記折り返し部２１を、長さ方向に延びる長さ方向液体路２２・２２と、幅方向に水路として連続する幅方向液体路２３と、前記各長さ方向液体路２２・２２は長さ方向に延びる切り離し部２４とを有していることを特徴とする（請求項６）。
本実施形態は、前記着脱部材１３は前記折り返し部２１を有する前記液体路３を覆うカバー部材２５に取り付けたことを特徴とする（請求項７）。
【００１０】
本実施形態は、前記冷却服２０の背面部２９に前記液体路３の基端３ｃを固定して、冷却服２０の前記前面部２６とは別体として巻き付けた構成にしたことを特徴とする（請求項８）。
本実施形態は、前記身体の巻き付ける周方向において、複数の前記液体路３を柔軟性のある連結管３１で連結し、前記連結管３１の余裕長さや変形によって前記周方向の調整を行なうように構成したことを特徴とする（請求項９）。
前記連結管３１は、身体の巻き付ける周方向に調整手段として機能することになる。例えば、胸回り、胴回り、首回り、腕回り、又は大腿部の各周方向に複数の液体路間において連結管によって接続する構成とすることで、周方向の長さ調整、捻れ防止等の有利な点を有することができる。
【００１１】
本実施形態は、人間の胸部・胴体部に巻き付ける前記循環型液体路１と、冷却服２０の着脱用のファスナー３３の位置と対応するように設けられた前記着脱部材１３とを有することを特徴とする（請求項１０）。
本実施形態であれば、冷却服の線ファスナー又は面ファスナー等を開いた状態で、循環型液体路の着脱部材を着脱動作することができるので、冷却服の着脱と循環型液体路の着脱を手軽に行える。
本実施形態は、首回りや肩部を冷やす首回り・肩部用循環型液体路４０を設けたことを特徴とする（請求項１１）。
なお、首回り・肩部とは、首回り、肩部の少なくとも一方を含む意味で用いている。即ち、首回り冷却だけの構成、肩部冷却だけの構成、首回りと肩部の両方を冷却する構成を含む。
【００１２】
本実施形態は、前記液体路３の入口部４と出口部５に接続口具６を設け、前記接続口具６は、前記凹凸シート２が接合するための接合面部８と、前記液体路３に連通する管部１１を有することを特徴とする（請求項１２）。
一例として、接続口具としてはスパウト形状のものが例示できる。
本実施形態は、前記融着部１４と前記流路部１６とを有する前記液体路３に換えて、液体の流れる隙間４２を備えている立体構造物４１をシートの縁部接合部７によって形成された前記液体路３に固定したものを使用したことを特徴とする（請求項１３）。
なお、請求項１３の構成に前記請求項４〜請求項１２の各構成を付け加えて、各構成に係る実施例を作ることは、本発明の権利請求内である。その一例を請求項１４〜１８に列挙した。
【００１３】
本実施形態は、前記巻き付ける前記循環型液体路１の前記着脱部材１３を取り付けた先端側領域において、前記液体路３に折り返し部２１を設けたことを特徴とする（請求項１４）。
本実施形態は、前記折り返し部２１を有する前記循環型液体路１を距離的に離隔させて複数個、胸部・胴体部に巻き付けるように構成したことを特徴とする（請求項１５）。
本実施形態は、前記折り返し部２１を、長さ方向に延びる長さ方向液体路２２・２２と、幅方向に水路として連続する幅方向液体路２３と、前記各長さ方向液体路２２・２２は長さ方向に延びる切り離し部２４とを有していることを特徴とする（請求項１６）。
本実施形態は、前記着脱部材１３は前記折り返し部２１を有する前記液体路３を覆うカバー部材２５に取り付けたことを特徴とする（請求項１７）。
【００１４】
本実施形態は、前記冷却服２０の背面部２９に前記液体路３の基端３ｃを固定して、冷却服２０の前記前面部２６とは別体として巻き付けた構成にしたことを特徴とする（請求項１８）。
本実施形態は、冷却用途、温め用途、医療的用途などの各目的において前記人間の頭、手、足等の巻き付け可能部分に巻き付け可能な長さを有する前記液体路３を有したことを特徴とする（請求項１９）。
本実施形態は、冷却用途、温め用途、医療的用途などの各目的において前記動物の巻き付け可能部分に巻き付け可能な長さを有する前記液体路３を有したことを特徴とする（請求項２０）。
本実施形態は、例えば、図１５に示すように、前記立体構造体４２を備えた構成において、冷却用途、温め用途、医療的用途などの各目的において前記人間の頭、手、足等の巻き付け可能部分に巻き付け可能な長さを有する前記液体路３を有したことを特徴とする（請求項２１）。
本実施形態は、例えば、図１６に示すように、前記立体構造体４２を備えた構成において、冷却用途、温め用途、医療的用途などの各目的において前記動物の巻き付け可能部分に巻き付け可能な長さを有する前記液体路３を有したことを特徴とする（請求項２２）。
【図面の簡単な説明】
【００１５】
【図１】第１実施例に係る巻付型の循環型液体路の一例を示す斜視図である。
【図２】第１実施例において凹凸シートをエンボス加工によって製造するための図であり、（Ａ）はエンボス加工前のシートの平面図、（Ｂ）はその加工前のシートの縦断面図、（Ｃ）はエンボス加工後の凹凸シートの平面図、（Ｄ）はエンボス加工後の凹凸シートの縦断面図である。
【図３】第１実施例において（Ａ）は融着部パターンの圧着金型によって加工する様子を示す縦断面図、（Ｂ）は融着部が形成され、２枚の凹凸シートが圧着された後の平面図、（Ｃ）は２枚の凹凸シートが圧着された後の縦断面図である。
【図４】融着部と流路部を有する液体路内の液体の流れの一例を示す平面図である。
【図５】第１実施例の凹凸シートを構成する他の形態を説明するための縦断面図である。
【図６】第１実施例において（Ａ）は折り返し部を有する循環型液体路が図示していないカバー部材内に収容される前の状態の平面図、（Ｂ）は前記循環型液体路をカバー部材内に収容された後の状態の平面図である。
【図７】第１実施例において、巻付式循環型液体路を冷却服に適用した場合のチャック等のある正面側から見た図である。但し、チャックのある冷却服の前面部は想像線で描いている。
【図８】第１実施例において、巻付式循環型液体路を冷却服に適用した場合の正面側から見た図である。但し、循環型液体路を収容した破線で示す収容袋や連結管のある幅方向の領域を覆う布材は省略して描いている。
【図９】第１実施例において、（Ａ）は冷却服のチャック等のある前面部をそのチャックを開いた状態で、着脱部材で係合する前の状態の循環型液体路の形態を説明するための正面図、（Ｂ）はそのチャックを開いた状態で、着脱部材で係合した後の循環型液体路の状態を説明するための正面図である。
【図１０】第１実施例において、冷却服のチャック等のある前面部をそのチャックを閉じた状態で、冷却服の概観を示す正面図である。
【図１１】第２実施例において、（Ａ）（Ｂ）（Ｃ）はそれぞれ融着部間の直線長さよりも流路部の領域がシート上下方向に膨らんだ流路部を製造するための模式断面図である。
【図１２】第３実施例において、首回り・肩部用循環型液体路の一例を示す模式図である。
【図１３】第４実施例において、隙間のある立体構造物を液体路内に固定した一例を示す斜視図である。
【図１４】第５実施例において、（Ａ）は循環型液体路の一形態として直線形の液体路を示した平面図、（Ｂ）は区画接合部で折り返し部を形成した循環型液体路の一形態を示した平面図である。
【図１５】第６実施例において、（Ａ）は手に循環型液体路を巻き付けた形態を示した正面図、（Ｂ）は頭に巻き付けた状態の循環型液体路を示した斜視図、（Ｃ）は頭に巻き付けを解いた状態の循環型液体路を示した斜視図である。
【図１６】第７実施例において、愛玩動物に循環型液体路を巻き付けた形態を示した斜視図である。
【実施例】
【００１６】
［第１実施例］
以下、図１〜図１０に示す本発明に係る巻付式循環型液体路の第１実施例について、図面に基づき説明する。なお、本実施例の説明においては、温度調整の形態として冷却形態を採用し、かつ、シートを接合する手段として安価に実施できる熱融着を例に取り、説明する。
本実施例に係る循環型液体路１は、巻き付けることができる程度に細長い略帯形状の平面形に形成した液体路である。循環型液体路１は、図１に示すように、一対の細長い熱融着シート（広義には接合シート）で形成された凹凸シート２・２を熱融着することによって形成された液体路３と、その液体路３の入口部４と出口部５のそれぞれに熱融着された接続口具６としてのスパウト６とを有している。熱融着シート２としては、熱融着できる各種の合成樹脂シート、例えば、ポリエチレン（ＰＥ）等の合成樹脂シートが採用できる。通常、熱融着シートは強度のある合成樹脂とともに複数の合成樹脂層を２〜３層程度、積層した構成が採用されることが多い。
【００１７】
次に、本実施例の一特徴である凹凸シート２による液体路３の形成について説明する。
一つのユニットとしての循環型液体路１を形成する要素としての液体路３は、小さい凹凸が形成された凹凸シート２を少なくとも１枚含んで複数枚のシートを重ね合わせた平面形の導液部材である。上側シートと下側シートの両方が凹凸シート２・２であることが好ましいが、一方が平坦シート、他方が凹凸シートの構成も実用上、十分に採用できる。
また、液体路３は、平面的に広がるシートにおいて、その一部を平面的に離隔的に融着させて形成した融着部１４と、融着部１４の間において融着されずに凹凸１５を残した状態で形成された流路部１６とを有している。流路部１６が冷却用液体の流れる通路となる（例えば、図３（Ｃ）参照）。
平面視において、流路部１６の液体の流れを一対の融着部１４の間を流れる液体は、例えば、図４において矢印で示すように各液体路１６に浸み渡るように流れる。流路部１６は普通形状では薄く大面積なので、液体の量が少なくても冷却効果を大きくできる。
【００１８】
なお、図１においては簡便のために液体路３の一部を切り出した状態で融着部１４、流路部１６、凹凸１５の構成を説明している。実際は液体路３の全面に亘って融着部１４、流路部１６、凹凸１５が形成されている。
また、循環型液体路１を薄く形成して、冷却水量を減らして迅速に冷やすことや着心地を良くすることに重点を置く場合は、１ｍｍ〜３ｍｍ程度に循環型液体路１の厚さを薄く製造することも可能になる。その時の凹凸の高さ設定は、例えば一例を挙げれば、０．０５ｍｍ〜１ｍｍにすることもできる。
【００１９】
さらに、図１の構成では、液体路３において液体が流れる中心帯域を残して細長い帯形の縁部を熱融着させた縁部接合部７・７を形成することで液体路３を形成し、かつ、それらの液体路３を略正反対方向の折り返し部２１を設けることで形成してある。
また、スパウト６は、熱融着シート２を融着するための接合面部８と、接合面部８を貫くように管部１１が設けられた管取付部９とを有している。接合面部８の形状は四角形形、半円形状など各種の形状が採用できるが、いずれの構成も熱融着シート２を液体が漏れないようにしっかり密閉する水平方向に広がりを持った領域面を備えている。
【００２０】
図１に示す構成では、スパウト６は、液体路３の内側に臨む位置に設けられた管口１０が設けてあり、その管口１０によって液体路３と連通されている。
接合面部８から突出した管部１１の周囲には、管部１１から外周側に拡径するように突出する先細形状部１２が形成してある。この先細形状部１２は、スパウト６に連結する接続管、例えば液体供給管、液体戻り管のような連結管等の各種接続管をワンタッチで取付け、抜けることを抑制する構造にするための構成である。先細形状部１２としては、略円錐形（略タケノコ形状とも言える）、略球形、略楕円球形などの各種の構成が採用できる。
【００２１】
このような先細形状部１２を有する管取付部９を採用することで、雄ねじと雌ねじの螺合結合のように、通常の液体容器に採用されるスパウトの構成に比べて着脱の処理を簡便化することができる。この構成は冷却服等を構成する一部の液体路３が破損した場合にその部分だけを交換する場合に有利となる。
スパウト６は、凹凸シート２と接合しやすい同じ種類系統の合成樹脂、例えばＰＥ、ＰＶＣ等で構成してある。好ましくは同一の合成樹脂材で構成する。同一の合成樹脂材であれば、接合に必要な条件、例えば、溶ける温度等が同じであり、接合が良好になるからである
【００２２】
以下、小さい凹凸１５が形成された凹凸シート２を少なくとも１枚含んで複数枚のシートを重ね合わせて本実施例に係る液体路３を作る工程の一例について説明する。
まず、図２（Ａ）（Ｂ）に示すように２枚の例えば合成樹脂で構成された平坦シート１７・１７を用意して、図２（Ｃ）（Ｄ）に示すようにエンボス加工などの方法によって凹凸シート２・２を得る。凹凸１５の高さ、横幅は冷却服などに採用した場合、液体が良好に流れる大きさであれば特に制限はない。一例を挙げれば、前記凹凸の高さＨを０．０５ｍｍ〜１０ｍｍの範囲に構成し、さらに好ましくは高さＨを０．５ｍｍ〜５ｍｍの範囲に構成することもできる。
また、横幅Ｗを０．０５ｍｍ〜１０ｍｍの範囲に構成し、
さらに好ましくは横幅Ｗを０．５ｍｍ〜５ｍｍの範囲に構成することもできる。
次いで、図３（Ａ）に示すように平面的に所定の融着パターンを有する融着部押圧型１８で凹凸シート２・２を挟み込んで融着させる。
そして、図３（Ｂ）（Ｃ）に示すように平面的に離隔して配置された融着部１４とその間に凹凸部１５を有する流路部１６を形成する。
【００２３】
図１〜図３に示す構成では融着部１４の融着パターンは、縦方向及び横方向一定間隔で円形の融着部を配置した構成となっている。融着部１４の形状及び配置間隔は液体が流れて、良好に身体を冷却できる構成であれば特に限定されない。
一般的には、融着部１４の構成に関する考え方は、
（１）ポンプ等によって圧送された液体の流量を確保できて、十分な冷却ができるような大きさの面積がある流路部１６に設定する、
（２）液体を所定圧力で流した際、液体の圧力又は身体の動きによって融着部１４が剥離しない程度の大きさに設定する、
（３）縦方向、横方向、斜め方向などのできるだけ全方位方向に液体が流れるような融着部１４の形状及び配置間隔を設定する。
の３点を考慮しつつ、それらのバランスを取って設定される。概して言えば、円形、楕円、多角形を平面上に離隔的に配置した構成が上記２つの要望を満たすことが多いと予想される。
【００２４】
本実施例の構成であれば、平面的に離隔的に融着箇所を設けることによって、液体に圧力をかけた状態でも液体路３の膨らみを抑制でき、冷却除湿装置の容積を小さく構成することができる。また、凹凸シート２で形成しているので、必要であれば薄く形成でき、かつ冷却除湿に要する水量を減らすことができる。単位面積、単位容積に対する冷却除湿水量を減らすことができるので即座に冷却除湿を行なうことができる。
また、液体路部材に関して言えば、平面的に離隔的に融着させて形成した融着部１４を有しているので、例えば、横、縦、斜め方向においても液体の流路を確保できる利点がある。しかも、移動体、物体の形状や状態に応じて液体路３が曲がっても小さい凹凸１５によって流路部３が閉鎖されることが抑制される。また、小さい凹凸１５が形成された凹凸シート２を作ること、及び融着部１４を形成することは簡単に行えるので、冷却除湿装置を構成する上で、製造コストを大幅に低減することができる。
【００２５】
なお、図５は、融着部１４と流路部１６とを有する液体路３を形成するシートの組みの他の構成を示したものである。本第１実施例に係る変形例の構成として、２つの点を特徴としている。
まず、第１の点は、一方側のシートを平坦シート１７で構成するとともに他方のシートを凹凸シート２とした点である。
第２の点は、凹凸１５の凸部１５を印刷凸部、吹付凸部のいずれか一方で形成したことを特徴としている。第１実施例においても、液体路部材１の形成に使用する凹凸シート２を印刷凸部シート、吹付凸部シートとして採用するだけで同様に製造できるものである。
【００２６】
以下、図６〜図１０を参照しつつ、冷却服や冷却部材として使用する場合の本実施例の特徴や工夫について説明する。
（着脱部分における折り返し部２１の採用）
液体路３は水路として連続していなければならないにもかかわらず、冷却服２０を着る場合と脱ぐ場合を切換える必要がある。この課題を解決するために、巻き付け帯部の着脱部材１３のある部分に液体路３の折り返し部２１が設けてある。
図６に示す構成では、折り返し部２１は、長さ方向、例えば、胴回りでは、周方向に延びる長さ方向液体路２２・２２と、幅方向に水路として連続する幅方向液体路２３とを少なくとも備えている。
また、一対の各長さ方向液体路２２・２２の長さ方向に延びる切り離し部２４を設けている。切り離し部２４があることで、長さ方向液体路２２・２２を太った人、痩せた人、腹の出た人などの身体表面に沿うように沿わせることができる。さらに、言えば、長さ方向液体路２２・２２の長さ方向、幅方向、又は前後方向（液体路のシート面に直交する方向）において、身体形状や身体の動きに応じて、各長さ方向液体路２２・２２は比較的自由に移動できることになる。
切り離し部２４は複数の液体路３が形成されたシート面に線形の切込みを入れることでも形成できる。
【００２７】
（複数の循環型液体路１を離隔させて巻き付ける構成）
図７〜図１０に示すように、折り返し部２１を有する循環型液体路１を距離的に離隔させて複数個、胸部・胴体部に巻き付けるように構成してある。具体的には、胴体部の上側の液体路３ａ・３ａと間隔Ｌを持って、下側の液体路３ｂ・３ｂを設け、合計４つの循環型液体路１を胸部・胴体部に巻き付けることができる構成にしてある。複数の循環型液体路１の数は２，４，６，…，２ｎ個というように増やすことも可能であるが、胴部及び胸部を冷却する冷却服の構成を考える場合、作りやすさ、製造コスト等を考えると、２〜８個以内にすることが好ましいと予想できる。
複数の循環型液体路１と間隔Ｌを持って配置することで、同じ冷却領域を１個の幅の広い循環型液体路１で構成するよりも、身体の動きを妨げることなく、動きに追従することができる。
【００２８】
（着脱部材１３の構成の工夫）
着脱部材１３は折り返し部２１を有する液体路３を収容する収容袋２５ａ等のカバー部材２５に取り付けることが好ましい。その理由は、面ファスナー１３ａ等の着脱部材１３には大きな力がかかることが多く、着脱部材１３を循環型液体路１自体に取り付けた場合には、循環型液体路１が破損する虞が多いからである。
但し、カバー部材２５の構成としては、袋構成だけでなく、各種の構成が採用できる。例えば、カバー部材２５を熱伝導の良い補強シートで構成し、その補強シートで液体路３を覆ったり、又は、循環型液体路１の製造工程内で補強シートも合わせて積層する構成も考えられる。そのような構成では、循環型液体路１と一体化した補強シートに着脱部材１３を取り付ける構成も採用することができる。
液体路３の凹凸シート２，平坦シート１７は柔軟性を有する材料で構成されているので、循環型液体路１は例えば、作業者毎に大きさや形に違いのある胴部、胸部等の形状に正確に沿うような形態で巻き付けることができる。
【００２９】
図７〜図１０に示すように、例えば、大人の胴部・胸部を巻き付ける循環型液体路１を構成する場合は、大きさＳ，Ｍ，Ｌ，ＬＬ等の冷却服の大きさ基準に基づいて、それらの身体の大きさから予想される胴部回り又は胸部回りを想定して、循環型液体路１の長手方向の長さを決定すればよい。
例えば、想定する作業者の胸部・胴部回りの長さと、循環型液体路１の先端側に固定された着脱部材１３の重ね合わせ領域２８（図７参照）の長さとを加えた長さに循環型液体路１を適宜、設定すれば良いことになる。
なお、上記重ね合わせ領域２８の長さを余裕を持って大きく設定し、その重ね合わせ領域２８の長さを各個人の胴回りに合致したレベルに調整することで、胴回りの違う各個人に対して、肌に密接する冷却効果の高い循環型液体路１を提供することができる。
【００３０】
（冷却服２０の前面部２６の内側に巻付式循環型液体路１を別体で作る工夫）
本実施例では、冷却服２０の背面部２９に液体路３の基端３ｃを固定して、冷却服２０の前面部２６とは別体として巻き付けた構成にしてある。
この構成であれば、冷却服２０の前面部２６の密着性とは別に循環型液体路１を作業者にとって好ましい密着状態で巻き付けることができる。即ち、冷却服２０の前面部２６のような外装部自体に液体路３を形成した構成に比べて、冷却服２０の外装部と胸部・胴体の密着性に影響を受けず、巻付式循環型液体路１を作業者の好ましい状態で胸部・胴体に巻き付けることができるので、無理なく冷却性を高めることができる。
【００３１】
（柔軟性のある連結管３１で遊びを持って左右の循環型液体路１を接続する構成）
背面部２９の中央幅領域３０内に液体路３の基端３ｃを配置し、それらの基端３ｃの間をゴムチューブなどの柔らかい連結管３１で結ぶことによって、身体の捻り動作、お辞儀動作、仰け反り動作などの胸部・胴体部の各動きに従うように循環型液体路１を変化させることができる。この場合、中央幅領域３０にある程度の伸縮性を設けることで、周方向の変動に対応することができる。
【００３２】
（冷却服２０の前面のファスナー３３と循環型液体路１の開閉部位の略一致の構成の利点）
また、本実施例では、着脱部材１３を循環型液体路１に固定された着脱自在の面ファスナー１３ａで構成してある。面ファスナー１３ａとしては、例えば、雄型係合部材と雌型係合部材を係止させることで着脱自在に取り付ける面形のファスナーであり、一例としては、マジックテープ（登録商標）が良く知られている。なお、雄型係合部と雌型係合部材の両方が係合面にあるフリーマジック（登録商標）が好適に使用できる。
また、図７〜図９に示すように、冷却服の線ファスナー３３又は面ファスナー３３が設けられた前面位置に対応する位置に、左右の循環型液体路１の重ね合わせ領域２８を設けているので、ファスナー３３を開く手を使って循環型液体路１の着脱部材１３を簡単に着脱動作することができる。
【００３３】
［第２実施例］
図１１に示すように、この実施形態では、流路部１６のシート部分の長さを流路部１６の直線長さＳよりも長く設定することで、液体が流れた場合に膨らんで身体との密着性を良くした構成を説明する。
図１１（Ａ）に示すように、液体路の全幅Ｌ、又は図示しない縦長さ、よりも大きな長さを有する少なくとも１枚の凹凸シート２を用意する。そして、図１１（Ｂ）のように融着部１４を形成した場合に、図１１では上側凹凸シート２及び下側凹凸シート２の幅及び長さが広い分だけ、流路部１６に液体を流した場合に膨らみＲ（図１１においてＲで示す）を大きくできるようにする。なお、この製造に際しては、融着部１４に幅広の上側凹凸シート２及び下側凹凸シート２が畳み込まれて融着されないように注意して融着処理を行なうことが必要である。その方法として、空気を加圧状態にして、上側・下側凹凸シート２が膨らんだ状態で融着処理をする方法が考えられる。
上側凹凸シート２、下側凹凸シート２の一方側のシート２だけ幅方向及び長さ方向に大きく設定して、幅広シート、縦長シートに構成しても良い。
図１１（Ｃ）は模式的な拡大断面図であり、液体が流れた状態において上下に膨らんだ流路部１６の状態を示している。
なお、図３（Ｃ）に示すような流路部１６の膨らみが小さい構成に比べて、図１１（Ｂ）（Ｃ）に示すように膨らみＲが大きい構成の倍率は、適宜、液体路が採用される冷却服等の用途や箇所によって変化する。
【００３４】
［第３実施例］
図１２に示す実施例では、首回り・肩部を冷やす首回り・肩部用循環型液体路４０を設けた冷却服２０を示している。
図１２に示す一方側の首回り・肩部用循環型液体路４０と他方側の首回り・肩部用循環型液体路４０の先端側に折り返し部２１を設けて、その先端側の折り返し部２１に冷却服２０の前面側の左右循環型液体路１に着脱できる着脱部材１３（例えば、面ファスナー１３ａ）を設けた構成にしてある。
先端側に着脱部材１３を設けず、前面側の左右循環型液体路１を収容する図９及び図１０に示す収容袋２５ａ等に縫い付ける構成で固定する方法も採用できる。
また、図示はしないが、胸部・胴部とは別体の専用の首回り・肩部用循環型液体路４０を製造することもできる。
首回り・肩部用循環型液体路４０を採用する液体路３としては、第１実施例と第４実施例に示した液体路や、第５実施形態の（Ａ）（Ｂ）に示す構成を採用できる。
なお、図１２では簡便のために第１実施例、第４実施例、第５実施形態に示した液体路を単純な一対の管形に描いている。
【００３５】
［第４実施例］
図１３に示すように、第４実施例の特徴は、図１に示すような凹凸シート２を用いて液体路３を構成に換えて、シートの縁部接合部７によって形成された液体路３内に柔軟性を有する立体構造物４１を固定した点にある。
図１３に示す構成では、立体構造物４１は液体の流れる隙間４２を備えている構成を有することで、良好な液体の流れを確保できるようにしてある。
立体構造体４１の一例としては、縦糸と横糸が上下に交差して、その交差によって液体の流れる隙間４２を確保するようにした繊維構造体が例示できる。そのような繊維構造体として縦糸と横糸が上下に交差するメッシュなどを挙げることができる。
また、立体構造物４１は液体路３を構成する少なくとも片方側のシート面に固定されていることが好ましい。
【００３６】
さらに、立体構造物４１の少なくとも片方側のシート面への固定を、液体路３の形状パターンを形成するための複数の接合シート２に係る接合方法と同一の方法によって行うことが好ましい。その場合は、立体構造物４１を構成する素材と、接合シート２を構成する合成樹脂と同じ種類又は接合しやすい合成樹脂を選ぶことになる。前記した縁部接合部７と一緒に立体構造物４１も同じ方法で接合することで、立体構造物４１を接合シート２・２の少なくとも片方に固定することができる。
また、本発明は、熱融着シート２・２の少なくとも一方側に接着剤などの固定手段を設け、その固定手段によって想定する液体路３の中心帯域に立体構造物４１を固定する方法も除外するものではない。
【００３７】
［第５実施例］
図１４（Ａ）に示す構成は、巻付式循環型液体路１を直線形の流体路３で構成したもので、両端に接続口具６が設けてある。巻付式循環型液体路１の形状は直線形だけでなく、湾曲形など冷やそうとする箇所の形状に応じて変形できるものである。
図１４（Ａ）に示す構成は、巻付式循環型液体路１の巻き付け帯部の一部を構成することができる。
【００３８】
図１４（Ｂ）に示す構成は、長さ方向液体路２２・２２の間に区画接合部４４で構成したことで、長さ方向液体路２２・２２と幅方向液体部２３を形成して折り返し部２１を構成したことを特徴としている。つまり、図１及び図６に示した切り離し部２４の部分を切り離さず、縁部接合部７と同じような区画接合部４４で構成した点が特徴と言える。
この形態においても着脱部材１３のある着脱部分に折り返し部２１を形成することができる。
【００３９】
［第６実施例］
図１５（Ａ）に示す実施例では、手３４に循環型液体路１を巻き付け、氷を入れた液体容器３５と、モーターと電源等を入れた制御部３６を腰部に取り付けた構成が示してある。
循環型液体路１には面ファスナー１３ａが取り付けられ、巻き付けて手３４の冷やしたい部分を継続的に冷やすことができる。手３４を冷やす用途としては、暑い時の冷却だけでなく、医療的な冷却でも採用することができる。即ち、捻挫、打撲、火傷又は傷など、医療的検知から冷やした方が良い場合もある。本実施例に係る巻き付け型の循環型液体路１であれば、腕や手のひらなどの手３４の大きさ、太さや、冷やす箇所が異なっても影響を受けず、簡単に巻き付けて即座に冷やすことができる。また、氷を液体容器３５内に供給するだけで、長時間に亘って冷却することができる。
図示していないが、本実施例の循環型液体路１は、大腿部、ふくらはぎ、足の甲や足の裏などの足の各部においても、各部を巻き付ける形態において同様に適用できる。
【００４０】
図１５（Ｂ）（Ｃ）に示す実施例では、頭部を冷やす循環型液体路１は、巻き付けることができる布や繊維材で形成された帯部３７と、頭に接する帯部３７の好ましくは内面に設けられた循環型液体路１と、帯部３７の一対の着脱切り離し端部域３８・３８に取り付けられた各着脱部材１３・１３とを有している。
【００４１】
［第７実施例］
図１６に示す実施例は、犬、猫等の愛玩動物の巻き付け可能な部位に循環型液体路１を巻き付けた状態を示している。通常は胴体部に巻き付けることが多い。図１５で示した液体容器３５及び制御部３６は愛玩動物に取り付けても良いし、重さが負担になるような小型の愛玩動物であれば、飼い主の散歩時に飼い主の腰部に取り付けても良い。
巻付式の循環型液体路１を採用することで、愛玩動物の種類、大きさ又は温度調整を行う部分に限定されず、汎用性があることは大きな利点になる。
【００４２】
本発明は上記実施例以外にも本発明の要旨を変更しない範囲で種々の変形を行うことが可能である。
（１）前記実施例では液体として水が好ましい。但し、水に熱交換を促進する物質（液体）を混合した液体や、熱交換に適した水以外の液体を採用して本発明を構成することもできる。これらの構成であっても前記した熱交換を促進する液体は人体に有害でない構成を採用することが好ましい。
（２）本発明において、液体を液体路内に循環するためにポンプを設けることや、氷を入れた液体容器を備えていることは公知技術であるので、本発明の目的において適宜、ポンプや各種の液体容器などの最適な構成を採用すればよい。
（３）前記実施例では、温度調整を冷却に例を取り説明したが、必要であれば、温水を流して身体を温める構成も採用することができる。この場合は前記（２）で説明した「氷を入れた液体容器」に換えて「加熱装置を備えた温水容器等」を設ければよい。そのような加熱装置としては、ガスバーナなどの燃料燃焼による加熱、電熱器等の電気手段による加熱、化学物質の混合などの加熱等が例示できる。
（４）なお、温度調整水を用いた循環型液体路１によって冷却又は温められる「身体」には、犬、猫などの愛玩動物や、競走馬などの各種動物も含まれる。
（５）また、前記凹凸シートに形成される前記凹凸はある程度曲がっても水の流れを実質的に良好に維持できるものであれば、特に限定されない。例えば、円形、楕円形などの円だけでなく、６角形などの多角形を多数設けたものでも構成できる。また、複数の凸形線又は凹形線を角度もって交差させることで形成した格子紋、菱形紋、籠目紋などの各種の凹凸形状などが例示できる。また、前記凹凸は壁紙などに用いられる小さな凹凸部が不規則に形成されている凹凸シートなども採用できる。
【符号の説明】
【００４３】
１…循環型液体路
２…凹凸シート
３…液体路
３ｃ…基端
４…入口部
５…出口部
６…接続口具
１１…管部
１３…着脱部材
１３ａ…面ファスナー
１５…凹凸
１４…融着部
１６…流路部
２０…冷却服
２１…折り返し部
２２…長さ方向液体路
２３…幅方向液体路
２４…切り離し部
２５…カバー部材
２５ａ…収容袋
２６…前面部
２９…背面部
３０…中央幅領域
３１…連結管
３３…ファスナー
４０…首回り・肩部用循環型液体路
４２…隙間
４１…立体構造物
Ｈ…凹凸１５の高さ
Ｗ…凹凸１５の横幅
【図１】
2018090947.tif 000003
【図２】
2018090947.tif 000004
【図３】
2018090947.tif 000005
【図４】
2018090947.tif 000006
【図５】
2018090947.tif 000007
【図６】
2018090947.tif 000008
【図７】
2018090947.tif 000009
【図８】
2018090947.tif 000010
【図９】
2018090947.tif 000011
【図１０】
2018090947.tif 000012
【図１１】
2018090947.tif 000013
【図１２】
2018090947.tif 000014
【図１３】
2018090947.tif 000015
【図１４】
2018090947.tif 000016
【図１５】
2018090947.tif 000017
【図１６】
2018090947.tif 000018